(57)【要約】  【課題】  浴室と、同浴室に隣接する脱衣室とを同時に、そして同等の室温に調整することができるようにし、また、少なくとも一室をヒータの輻射熱により更に効果的に暖房できるようにした空調装置を提供する。  【解決手段】  二室ＡおよびＢを隔てた隔壁Ｃを貫通して設置され、一室内Ａに臨ませた第一吸込口１と第一吹出口２とを結ぶ第一空気通路３と、他室内Ｂに臨ませた第二吸込口４と第二吹出口５とを結ぶ第二空気通路６とを備えたユニットと、前記第一空気通路３に設けられた第一送風ファン７と、前記第二空気通路６に設けられた第二送風ファン８と、少なくとも一方の室内に輻射可能な放熱部９と、前記第一空気通路３および前記第二空気通路６に夫々連続する平行流を備えた熱交換素子10とからなる構成にした。【選択図】  図１
2006098014.tif 000002
【特許請求の範囲】
【請求項１】
二室を隔てた隔壁を貫通して設置され、一方の室内に臨ませた第一吸込口と第一吹出口とを結ぶ第一空気通路と、他方の室内に臨ませた第二吸込口と第二吹出口とを結ぶ第二空気通路とを備えたユニットと、前記第一空気通路に設けられた第一送風ファンと、前記第二空気通路に設けられた第二送風ファンと、少なくとも一方の室内に輻射可能な放熱部と、前記第一空気通路および前記第二空気通路に夫々連続する平行流を備えた熱交換素子とからなることを特徴とする空調装置。
【請求項２】
二室を隔てた隔壁の両面に設置され、一方の室内に臨ませた第一吸込口と第一吹出口とを結ぶ第一空気通路を備えた第一ユニットと、他方の室内に臨ませた第二吸込口と第二吹出口とを結ぶ第二空気通路を備えた第二ユニットと、前記第一空気通路に設けられた第一送風ファンと、前記第二空気通路に設けられた第二送風ファンと、少なくとも一方の室内に輻射可能な放熱部と、前記第一空気通路および前記第二空気通路に夫々連続する平行流を備えた熱交換素子と、前記隔壁を貫通して前記第一空気通路または前記第二空気通路に接続する接続管とからなることを特徴とする空調装置。
【請求項３】
前記放熱部の上方に、同放熱部による輻射線を反射する反射板が設けられてなることを特徴とする請求項１または請求項２に記載の空調装置。
【請求項４】
前記反射板が、所定の角度範囲内で傾斜するように設けられてなることを特徴とする請求項３に記載の空調装置。
【発明の詳細な説明】
【技術分野】
【０００１】
本発明は、空調装置に関わり、より詳細には、二室を効率よく同時に空気調和することができるようにし、また、少なくとも一室をヒータの輻射熱により更に効果的に暖房できるようにした構造に関する。
【背景技術】
【０００２】
浴室と、同浴室に隣接する脱衣室とを空気調和する従来の空調装置として、浴室に隣接した脱衣室の壁面に本体を設置して省スペース化をはかり、送風ノズルを浴室の扉の開口部に挿入するときは、浴室の乾燥、暖房、衣類の乾燥を行い、収納時は脱衣室の暖房ができるようにし、また、扉の開口部を通気性のカーテン材で覆うことにより、湿気を選択的に浴室外または脱衣室を通じて室外へ排出できるようにし、また、上下左右の自動風向ルーバにより、浴室全体に温風を循環させて乾燥効率を向上することができるようにし、更に、吸気路の本体側に設けた温度センサにより異常温度上昇を防止して、湿度センサにより省エネ運転が可能となるものが開示されていた（例えば、特許文献１参照。）。
【０００３】
これにより、例えば従来技術の第一例として図３（Ａ）で示すように、換気孔を備えた浴室Ａと、同浴室Ａに隣接する脱衣室Ｂとに暖房乾燥装置ａを夫々一台づつ設置することで、二台分のコストが掛かってしまったり、二台稼動させるための消費電力等のランニングコストが掛かってしまうということがなくなり、または、従来技術の第二例として図３（Ｂ）で示すように、大掛かりな天井埋め込み型の装置ａを設置することで、ダクトｂの設置や専用の配線工事にも多大なコストが掛かってしまったり、前記浴室Ａから吸い込まれた空気が高湿度の状態で前記脱衣室Ｂに吹き出されてしまうということがなくなるといった効果を奏していた。
【０００４】
しかしながら、上記構成でなる暖房乾燥装置は、浴室と、同浴室に隣接する脱衣室とを同時に空気調和することができないことから、浴室を空気調和するには、送風ノズルを浴室の扉の開口部に挿入し、浴室に隣接する脱衣室を空気調和するには、送風ノズルを脱衣室側に戻すと共に、扉の開口部を通気性のカーテン材で覆う必要があるため、浴室と、同浴室に隣接する脱衣室とを同時に、そして同等の室温に調節したいというユーザのニーズに応えるには不充分であった。
【０００５】
また、例えば入浴中に浴室内を暖房した際、送風ノズルから吹き出された温風によって身体の表面から水分が蒸発し、冷風感を感じて不快になってしまうという問題点があり、そのため、温風によって入浴中の浴室内を暖房するのに代えて、例えば加熱用のヒータによる輻射熱によって入浴中の体感温度を最適に維持できるようにすることが望まれていた。
【０００６】
【特許文献１】特開平６−２２９６７０公報（第１頁〜第３頁、第１図）
【発明の開示】
【発明が解決しようとする課題】
【０００７】
本発明は上記問題点に鑑み、浴室と、同浴室に隣接する脱衣室とを同時に、そして同等の室温に調節することができるようにし、また、少なくとも一室をヒータの輻射熱により更に効果的に暖房できるようにした空調装置を提供することを目的とする。
【課題を解決するための手段】
【０００８】
本発明は上記課題を解決するため、二室を隔てた隔壁を貫通して設置され、一方の室内に臨ませた第一吸込口と第一吹出口とを結ぶ第一空気通路と、他方の室内に臨ませた第二吸込口と第二吹出口とを結ぶ第二空気通路とを備えたユニットと、前記第一空気通路に設けられた第一送風ファンと、前記第二空気通路に設けられた第二送風ファンと、少なくとも一方の室内に輻射可能な放熱部と、前記第一空気通路および前記第二空気通路に夫々連続する平行流を備えた熱交換素子とからなる構成となっている。
【０００９】
また、二室を隔てた隔壁の両面に設置され、一方の室内に臨ませた第一吸込口と第一吹出口とを結ぶ第一空気通路を備えた第一ユニットと、他方の室内に臨ませた第二吸込口と第二吹出口とを結ぶ第二空気通路を備えた第二ユニットと、前記第一空気通路に設けられた第一送風ファンと、前記第二空気通路に設けられた第二送風ファンと、少なくとも一方の室内に輻射可能な放熱部と、前記第一空気通路および前記第二空気通路に夫々連続する平行流を備えた熱交換素子と、前記隔壁を貫通して前記第一空気通路または前記第二空気通路に接続する接続管とからなる構成となっている。
【００１０】
また、前記放熱部の上方に、同放熱部による輻射線を反射する反射板が設けられてなる構成となっている。
【００１１】
更に、前記反射板が、所定の角度範囲内で傾斜するように設けられてなる構成となっている。
【発明の効果】
【００１２】
本発明によれば、空調装置が二室を隔てた隔壁を貫通して設置、もしくは二室を隔てた隔壁の両面に設置される構成にしたので、例えば二室を同時に空気調和しようとすると、二室に空調装置を夫々一台づつ設置することになったり、または、大掛かりな天井埋め込み型の装置を用いなければならなくなるが、これらに比べると大幅に簡便であって、コスト的に有利な設置工事で済むことになり、また、送風ノズルを浴室の扉の開口部に挿入したり、脱衣室側に戻すといったわずらわしい操作を不要にして、二室を同時に効率よく暖房乾燥することによって空気調和できるようになり、また、例えば加熱用のヒータの輻射熱によって入浴中の体感温度を最適に維持できるようにした空調装置となる。
【発明を実施するための最良の形態】
【００１３】
以下、本発明の実施の形態を、添付図面に基づいた実施例として詳細に説明する。
図１は本発明による空調装置の実施例１を示す説明図で、（Ａ）は第一例を、（Ｂ）は第二例を夫々示し、図２は本発明による空調装置の実施例２を示す説明図で、（Ａ）は第一例を、（Ｂ）は第二例を夫々示す。
【００１４】
本発明による空調装置は、実施例１の第一例として図１（Ａ）で示すように、浴槽A'および換気孔を備えた浴室Ａと、同浴室Ａに隣接する脱衣室Ｂとの二室を隔てた隔壁Ｃを貫通したユニットとして設置されている。
【００１５】
前記浴室Ａには、図で示すように、第一吸込口１および第一吹出口２を臨ませた構成になっており、これら第一吸込口１と第一吹出口２とを結ぶ第一空気通路３には、前記第一吸込口１から前記浴室Ａの空気を吸い込むための第一送風ファン７と、吸い込まれた空気を加熱するための加熱用のヒータからなる放熱部９とが設けられている。
【００１６】
また、前記脱衣室Ｂには、第二吸込口４および第二吹出口５を臨ませた構成になっており、これら第二吸込口４と第二吹出口５とを結ぶ第二空気通路６には、前記第二吸込口４から前記脱衣室Ｂの空気を吸い込むための第二送風ファン８が設けられている。
【００１７】
前記第一空気通路３および前記第二空気通路６には、前記第一吸込口１から吸い込まれ、前記放熱部９によって加熱された空気と、前記第二吸込口４から吸い込まれた空気とを熱交換するための熱交換素子10が、夫々の空気通路の一部を構成するように設けられている。
【００１８】
これにより、前記第一吸込口１から吸い込まれ、前記放熱部９によって加熱され乾燥された空気と、前記第二吸込口４から吸い込まれた空気とが前記熱交換素子10によって熱交換されたのち、前記第一吹出口２および前記第二吹出口５から、前記浴室Ａおよび前記脱衣室Ｂに夫々吹き出され、また図示しない前記浴室Ａの排気口を通じて湿気が室外へ排出されることになり、一台の空調装置によって前記浴室Ａおよび前記脱衣室Ｂの二室を同時に空気調和できるようになる。
【００１９】
なお、前記熱交換素子10として全熱交換素子を採用することにより、前記第一空気通路３および前記第二空気通路６を流通する空気は、前記全熱交換素子を通過させることにより温度および湿度の全熱を交換して、前記浴室Ａおよび前記脱衣室Ｂ双方の空気調和を効率よく行なえるようになる。
【００２０】
また、前記熱交換素子10として顕熱交換素子を採用することにより、前記浴室Ａの湿度を前記脱衣室Ｂに流すことなく（温度の）熱交換だけを行なうことによって、とくに前記脱衣室Ｂを加湿することなく快適な空気調和を行なえるようになる。
【００２１】
または、本発明による空調装置は、実施例１の第二例として図１（Ｂ）で示すように、第一ユニットと第二ユニットとに分割して、浴槽A'を備えた浴室Ａと、同浴室Ａに隣接する脱衣室Ｂとの二室を隔てた隔壁Ｃの両面に設置してもよい。
【００２２】
この場合、前記第一ユニットに設けられた第一空気通路３には、前記第一吸込口１から吸い込まれ、前記放熱部９によって加熱された空気と、前記第二吸込口４から吸い込まれた空気とを熱交換するための熱交換素子10が、前記第一空気通路３および前記第二空気通路６の一部を夫々構成するように設けられている。
【００２３】
そのため、前記第二空気通路６には、往路側接続管13と復路側接続管14とが前記第一空気通路３側に突出するように夫々接続されており、これにより、前記放熱部９によって加熱され乾燥された空気が前記第一吹出口２から前記浴室Ａに送出される一方、前記第二空気通路６から前記往路側接続管13および前記復路側接続管14を流通した空気が、前記熱交換素子10によって熱交換されたのち、前記第二吹出口５から前記脱衣室Ｂに送出されるようになっている。
【実施例１】
【００２４】
ここで、実施例１として示す図１（Ａ）および図１（Ｂ）に基づいて、加熱用のヒータからなる前記放熱部９の機能について更に詳細に説明する。
【００２５】
前記放熱部９は、前記第一空気通路３を流通する空気を加熱すると共に、図の矢印Ｄで示すように、前記第一吸込口１を通して輻射される輻射熱によって前記浴室Ａ内のスポット的な暖房を効果的に行なえるようにした構成になっている。
【００２６】
これにより、前記浴室Ａおよび前記脱衣室Ｂを同時に効率よく暖房することによって空気調和できるようになると共に、前記放熱部９による輻射熱によって入浴中の体感温度を最適に維持できるようになる。
【００２７】
すなわち、前記第一吹出口２から吹き出される温風の送出量を抑える一方、前記放熱部９の輻射線を前記第一吸込口１を通して前記浴室Ａ内に輻射させることにより、温風によって入浴中の身体の表面から水分が蒸発するのを防止して、冷風感を感じて不快になってしまうということがなくなると共に、前記放熱部９による輻射熱によって入浴中の体感温度を最適に維持できるようになる。
【００２８】
なお、前記第一吹出口２から吹き出される温風の送出量は、前記第一送風ファン７および前記第二送風ファン８に連係された駆動モータ11の回転数を低減させることによって調節すればよい。
【００２９】
その際、図示はしないが、前記第一送風ファン７および前記第二送風ファン８に、二つの駆動モータを夫々個別に連係させ、前記第二送風ファン８に連係された駆動モータを所定の回転数で駆動させる一方、前記第一送風ファン７に連係された駆動モータを低速回転もしくは停止させるようにしてもよい。
【実施例２】
【００３０】
次に、図２（Ａ）に基づいて実施例２の第一例について説明する。
なお、上述した実施例１と共通している点については、重複を避けるために詳細な説明を省略する。
【００３１】
前記第一空気通路３に設けられた前記放熱部９の上方に、凹面状の反射板12が設けられることによって、前記放熱部９の輻射線を効果的に反射させ、図２（Ａ）の矢印Ｄで示すように、前記第一吸込口１を通して前記浴室Ａの内部をスポット的に輻射できるように構成されている。
【００３２】
これにより、前記放熱部９による輻射熱によって、入浴中の体感温度を更に快適状態にして維持できるようになる。
【００３３】
また、前記放熱部９は、前記第一空気通路３に設けられると共に、図示はしないが、前記第二空気通路６にも設けられるようにすることによって、前記浴室Ａおよび前記脱衣室Ｂの双方を更に効果的に空気調和できるようになり、その際、前記第二空気通路６に設けられる放熱部の上方にも、実施例１の場合と同様に凹面状の反射板12が設けられるようにして、前記脱衣室Ｂの内部を効果的に輻射できるようにしてもよい。
【００３４】
または、実施例２の第二例として図２（Ｂ）で示すように、前記反射板12が、支軸部12a により所定の角度に傾動可能に支持されるようにすることにより、前記放熱部９の輻射線を効果的に、且つ所定の反射角度で反射させるようにし、図２（Ｂ）の複数の矢印Ｄで示すように、前記第一吸込口１を通して前記浴室Ａ内を広範囲に輻射できるようにしてもよい。
【００３５】
これにより、前記放熱部９の輻射線で前記浴室Ａの内部を広範囲に輻射できることから、複数の入浴者が前記浴槽A'の中、もしくは同浴槽A'の外にいる場合であっても、輻射熱によって体感温度を快適に維持できるようになり、例えば家族がいっしょに入浴するような場合にも効果的である。
【００３６】
なお、前記反射板12は、図示はしないが、例えばステッピングモータを連係して、所定の反射角度になる位置で停止させるようにしたり、前記支軸部12a を中心に所定の角度で自動的に往復回動させるようにしても便利である。
【図面の簡単な説明】
【００３７】
【図１】本発明による空調装置の実施例１を示す説明図で、（Ａ）は第一例を示し、（Ｂ）は第二例を示す。
【図２】本発明による空調装置の実施例２を示す説明図で、（Ａ）は第一例を示し、（Ｂ）は第二例を示す。
【図３】従来技術による空調装置の説明図で、（Ａ）は第一例の設置状態を示す断面図であり、（Ｂ）は第二例の設置状態を示す断面図である。
【符号の説明】
【００３８】
Ａ  浴室
A'  浴槽
Ｂ  脱衣室
Ｃ  隔壁
１  第一吸込口
２  第一吹出口
３  第一空気通路
４  第二吸込口
５  第二吹出口
６  第二空気通路
７  第一送風ファン
８  第二送風ファン
９  放熱部
10  熱交換素子
11  駆動モータ
12  反射板
13  往路側接続管
14  復路側接続管
【図１】
2006098014.tif 000003
【図２】
2006098014.tif 000004
【図３】
2006098014.tif 000005